(57)【要約】【課題】使用時のみ加圧することで非使用時にインキの漏れを防止でき、必要な時に加圧するため、ガス充填式のようなガスバリア性のある高価な材料を使用する必要がなく、インキの使用に伴って減少する必要加圧力を特に複雑な機構を用いること無く補うことができ、使用車が加圧操作を繰り返しても連続して加圧されることがなく、安定したインキ流量を確保できる筆記具を提供する。【解決手段】軸本体１８内には、インキ収容管１２後部とノック機構２０との間にインキ収容管１２内圧力を増加させる加圧機構２２が設けられ、前記ノック機構２０の押し出し操作終了後に、軸本体１８から突出した筆記部先端を押圧してリフィールユニット１４を後退させた場合に、加圧機構２２では前記シール部２４に対して相対的に筒部２６が前進してインキ収容管２８内を加圧するものである。【選択図】　図１
2004009645.tif 000002
【特許請求の範囲】
【請求項１】
先端に筆記部と後方にインキ収容管を備えたリフィールユニットが、第１のスプリングで後方に向けて弾発された状態で軸本体内に装填されると共に、前記リフィールユニットの筆記部を、軸本体の後端側に設けたノック機構の押し出し操作及び押し出し解除操作に連動させて出没可能となる筆記具において、
前記リフィールユニットのインキ収容管内後部が開放され、軸本体内には、該インキ収容管後部とノック機構との間にインキ収容管内圧力を増加させる加圧機構が設けられ、
加圧機構は、シール部と前端開放の筒部とシール部および筒部を離隔させる方向に弾発させる第２のスプリングとを有するものであり、
前記ノック機構の押し出し操作終了後に、軸本体から突出した筆記部先端を押圧してリフィールユニットを後退させた場合に、加圧機構では前記シール部に対して相対的に筒部が前進してインキ収容管内を加圧することを特徴とする筆記具。
【請求項２】
前記ノック機構の押し出し操作に連動して軸本体内にある加圧機構のシール部がリフィールのインキ収容管後端に密着後さらに筒部が前進してシール部を介してインキ収容管内を加圧するようになっていることを特徴とする筆記具。
【請求項３】
第１のスプリングの弾発力は、第２のスプリングの弾発力よりも小さく設定されていることを特徴とする請求項１または２に記載の筆記具。
【請求項４】
第１のスプリングおよび第２のスプリングの弾発力は、前記ノック機構の押し出し操作終了後に、軸本体から突出した筆記部先端を押圧してリフィールユニットを後退させる場合の反発力が３〜１５Ｎ（ニュートン）に設定されていることを特徴とする請求項１ないし３のうちのいずれか１項に記載の筆記具。
【請求項５】
加圧機構は、ノック機構の押し出し解除時における前記リフィールユニットの筆記部の軸本体内に没入した状態でインキ収容管内を大気に連通して加圧状態を解除するものであることを特徴とする請求項１ないし４のうちのいずれか１項に記載の筆記具。
【請求項６】
リフィールユニットは、インキとインキ後端にインキに追従するフォロアを充填したインキ収容管と、インキ収容管の前方に圧入されたボールペンチップとを有して構成され、ボールペンチップ先端内部に回動可能に遊嵌されたボールは、スプリングによる背圧が付与されており非筆記時にはボールペンチップ先端開口部を塞いでいることを特徴とする請求項１ないし５のうちのいずれか１項に記載の筆記具。
【請求項７】
前記インキの粘度は、２５℃の雰囲気中において、剪断速度４００／ｓでは、１０００ｍＰａ・ｓ以下であり、５／ｓでは３００ｍＰａ・ｓ以上であることを特徴とする請求項１ないし６のうちのいずれか１項に記載の筆記具。
【請求項８】
インキ収容管に少なくとも酸化チタン、高分子中空微粒子などの白色顔料とゲル化剤を含む白色顔料インキが充填されてなることを特徴とする請求項１ないし７のうちのいずれか１項に記載の筆記具。
【請求項９】
加圧機構の筒部は、カーン式のノック機構の回転子が兼用されていることを特徴とする請求項１ないし８のうちのいずれか１項に記載の筆記具。
【請求項１０】
軸本体を先後に２分割可能に形成したことを特徴とする請求項１ないし９のうちのいずれか１項に記載の筆記具。
【発明の詳細な説明】
【０００１】
【発明の属する技術分野】
本発明は、主に、誤記などを白色のインキで隠蔽することで修正を可能とするボールペンなどのリフィールを搭載したノック式筆記具に関する。
【０００２】
【従来の技術】
従来、誤記などを修正するために白色顔料を用いた液体筆記具が知られている。また、白色顔料と溶剤は分離しやすいためこの種の液体筆記具は可撓性のある容器内にインキとボールなどが封入されており、使用に際して振って内部のボールが移動してインキを攪拌する必要がある。また、使用に際して、キャップを着脱する煩わしさがある。
【０００３】
上記のような液体筆記具の欠点を解決するため、インキに酸化チタン、高分子中空微粒子などの白色顔料とゲル化剤を含むことで顔料の沈降を防止したものが提案されている。
【０００４】
しかしながら、この方法では、次のような欠点がある。
顔料の沈降を防止するため、インキの粘度が高くなり、初筆性が悪くなる。また、インキの吐出を支援するために、インキ収容管を加圧する必要がある。
また、従来からある、加圧ガスを封入することによりインキ収容管を加圧する方法は、コスト高となり製造設備も複雑化する。また、常時加圧されているためチップ先端部のシール性が悪いと未筆記時にインキ漏れを誘発しやすい。また、インキの消費に伴って内圧が減少するため最後までインキを使いきるためには初期の内圧を高くする必要があり、よりインキ漏れを誘発しやすい。
【０００５】
ガスを封入する方法以外にも、筆記時にノック動作で加圧をするものが市販されているが、使用者が筆記に関係なく遊びでノック動作を繰り返すことによりインキ収容管内が連続加圧されてしまい、このため、インキが噴出してしまう可能性があったり筆記時にインキが出過ぎたりするなど、インキの流量を使用者がコントロールすることが困難になる問題点がある。
【０００６】
【発明が解決しようとする課題】
本発明は、上記従来技術の問題点に着目してなされたでものであって、顔料の沈降をなくした所定のインキなどの使用を可能にするのでインキを攪拌したりキャップを外したりする煩わしさが無く、使用時のみ加圧することで非使用時にインキの漏れを防止でき、必要な時に加圧するため、ガス充填式のようなガスバリア性のある高価な材料を使用する必要がなく、インキの使用に伴って減少する必要加圧力を特に複雑な機構を用いること無く補うことができ、使用者が加圧操作を繰り返しても連続して加圧されることがなく、安定したインキ流量を確保できる筆記具を提供することを目的とする。
【０００７】
【課題を解決するための手段】
上記課題を解決するため、以下の構成を有する。
本発明は、先端に筆記部と後方にインキ収容管を備えたリフィールユニットが、第１のスプリングで後方に向けて弾発された状態で軸本体内に装填されると共に、前記リフィールユニットの筆記部を、軸本体の後端側に設けたノック機構の押し出し操作及び押し出し解除操作に連動させて出没可能となる筆記具において、前記リフィールユニットのインキ収容管内後部が開放され、軸本体内には、該インキ収容管後部とノック機構との間にインキ収容管内圧力を増加させる加圧機構が設けられ、加圧機構は、シール部と前端開放の筒部とシール部および筒部を離隔させる方向に弾発させる第２のスプリングとを有するものであり、前記ノック機構の押し出し操作終了後に、軸本体から突出した筆記部先端を押圧してリフィールユニットを後退させた場合に、加圧機構では前記シール部に対して相対的に筒部が前進してインキ収容管内を加圧することを特徴とする筆記具である。
本発明によれば、筆記具の使用時にインキの流量が必要なときには軸本体より突出した筆記部先端を塗布面に押し付けることで、リフィールを加圧機構の中にさらに押し込ませてより大きな加圧力をインキ収容室内に加圧することができる。このように使用時のみ加圧できるので、非使用時のインキ漏れを防止できる。また、加圧は必要時に行なうため、ガスバリアー性のある高価な材料を使用する必要がない。さらにノックしたまま放置しても加圧された空気は徐々にリークするためインキの漏れの心配はない。
【０００８】
本発明においては、前記ノック機構の押し出し操作に連動して軸本体内にある加圧機構のシール部がリフィールのインキ収容管後端に密着後さらに筒部が前進してシール部を介してインキ収容管内を加圧するようになっていることが好適である。このようにすれば、ノック機構で押し出し操作のときに連動して軸本体内にある加圧機構がリフィール後端に密着してさらに前進することにで加圧状態になりインキの筆記部への流動性が支援され、押し出し操作して筆記状態になればすぐに筆記できるようになる。そして、筆記途中で圧力が低下したときには、筆記部先端を押圧して加圧すればよい。
また、本発明においては、第１のスプリングの弾発力は、第２のスプリングの弾発力よりも小さく設定されていることが好適である。ノック機構の押し出し操作時に先にリフィールユニットが前進し、該リフィールの筆記部が軸本体内の先方部に突き当たって止まって初めて加圧機構が加圧動作するようになる。
また、本発明においては、第１のスプリングおよび第２のスプリングの弾発力は、前記ノック機構の押し出し操作終了後に、軸本体から突出した筆記部先端を押圧してリフィールユニットを後退させる場合の反発力が３〜１５Ｎ（ニュートン）に設定されていることが好適である。このように３〜１５Ｎの反発力であれば、筆記時に筆記部先端が筆圧によりふわふわする感触をユーザーに与えることが無く、しっかりした筆記感を与えることができる。
【０００９】
また、本発明においては、加圧機構は、ノック機構の押し出し解除時における前記リフィールユニットの筆記部の軸本体内に没入した状態でインキ収容管内を大気に連通して加圧状態を解除するものであることが好適である。これにより、使用者が筆記具を使用しないにもかかわらずノックを繰り返したとしても、ノック機構の押し出し解除時にはインキ収容管内の連続加圧はされなくなり、インキ収容管内圧が高くならず、インキの噴出し不具合などの発生や紙面へのインキの出すぎなどの不具合が無くなる。また、非筆記時には、大気圧と平衡を維持できるためインキ漏れの心配がない。また、必要時にノックして加圧するため使用する部材にガスバリアー性や各部のシール性にそれほどの精度が要求されなくなり、安価な材料を幅広く適宜選択できるようなる。なお、ノックしたまま放置されても、それほどのガスバリアー性やシール性がないため、加圧された空気は徐々にリークされインキ漏れの心配は無くなる。
【００１０】
本発明においては、リフィールユニットは、インキとインキ後端にインキに追従するフォロアを充填したインキ収容管と、インキ収容管の前方に圧入されたボールペンチップとを有して構成され、ボールペンチップ先端内部に回動可能に遊嵌されたボールは、スプリングによる背圧が付与されており非筆記時にはボールペンチップ先端開口部を塞いでいることが好適である。
また、本発明においては、前記インキの粘度は、２５℃の雰囲気中において、剪断速度４００／ｓでは、１０００ｍＰａ・ｓ以下であり、５／ｓでは３００ｍＰａ・ｓ以上であることが好適である。このようなインキを使用することのよりインキを攪拌したりキャップを取り外したりする煩わしさを無くすることができる。
【００１１】
また、本発明においては、インキ収容管に少なくとも酸化チタン、高分子中空微粒子などの白色顔料とゲル化剤を含む白色顔料インキが充填されてなることが好適である。このようにすれば、顔料の沈降が防止されるととも流動性が極力損なわれないように配合される白色顔料インキとすることができる。この種の白色顔料インキは粘度が高くなり易く、初穂性が悪くなり易いが加圧機構で加圧するのでそのような問題がなくなる。
また、本発明においては、加圧機構の筒部は、カーン式のノック機構の回転子が兼用されていることが好適である。ノック機構の部品と共用でき、部品点数が減らすことができる。
また、本発明においては、軸本体を先後に２分割可能に形成したことが好適である。
【００１２】
【発明の実施の形態】
以下、図に基づき本発明の実施形態を詳細に説明する。
図１〜図４は本発明の実施形態にかかる筆記具の作動（非筆記時、ノック後筆記時、追加圧時、非追加圧時）説明図、図５〜図８は該筆記具の部分詳細作動（非筆記時、ノック後筆記時、追加圧時、非追加圧時）説明図である。それぞれの図は半縦断図としている。
【００１３】
実施形態の筆記具は、先端にボーペンチップ（筆記部の例）１０と後方にインキ収容管１２を備えたリフィールユニット１４が、第１のスプリング１６で後方に向けて弾発された状態で軸本体１８内に装填されると共に、前記リフィールユニット１４のボールペンチップ１０を、軸本体１８の後端側に設けたノック機構２０の押し出し操作及び押し出し解除操作に連動させて先端開口１８ａから出没可能となる筆記具において、前記リフィールユニット１４のインキ収容管１２内後部１２ｒが開放され、軸本体１８内には、該インキ収容管後部１２ｒとノック機構２０との間にインキ収容管１２内圧力を増加させる加圧機構２２が設けられ、加圧機構２２は、シール部２４と前端開放の筒部２６とシール部２４および筒部２６を離隔させる方向に弾発させる第２のスプリング２８とを有するものであり、前記ノック機構２０の押し出し操作終了後に、軸本体１８から突出したボールペンチップ１０先端を押圧してリフィールユニット１４を後退させた場合に、加圧機構２２では前記シール部２４が後退して相対的に筒部２６が前進して内部加圧室４０の内部空気を圧縮し、その圧縮された内部空気により逆止弁４６を開きシール部２４を通してインキ収容管１２内を加圧するようになっている。
【００１４】
また、前記ノック機構２０の押し出し操作に連動して軸本体１８内にある加圧機構２２のシール部２４がリフィールユニット１４のインキ収容管後端１２ｒに密着後さらに筒部２６が前進して加圧室４０の内部空気を圧縮し、前記と同様にその圧縮された内部空気によりシール部２４を介してインキ収容管１２内を加圧するようになっている。
【００１５】
また、第１のスプリング１６の弾発力は、第２のスプリング２８の弾発力よりも小さく設定されている。
また、第１のスプリング１６および第２のスプリング２８の弾発力は、前記ノック機構２０の押し出し操作終了後に、軸本体１８から突出したボールペンチップ１０筆記部先端を押圧してリフィールユニットを後退させる場合の反発力が３〜１５Ｎ（ニュートン）特に好ましくは５Ｎに設定されている。
【００１６】
また、加圧機構２２は、ノック機構２０の押し出し解除時における前記リフィールユニット１４のボールペンチップ１０ペン先の軸本体１８内への没入状態でインキ収容管１２内の加圧状態を解除するものである。
また、前記リフィールユニット１４は、インキ３０とインキ後端にインキ３０に追従するグリース状のフォロア３２を充填したインキ収容管１２と、インキ収容管１４の前方に圧入されたボールペンチップ１０とを有して構成され、ボールペンチップ１０先端内部に回動可能に遊嵌されたボール１０ａは、図示しない押し棒を介してスプリングにより先方に向けて付勢されて背圧が付与されており、非筆記時にはボールペンチップ１０先端開口部１０ｂを塞いでいる。
前記インキ３０の粘度は、２５℃の雰囲気中において、剪断速度４００／ｓでは、１０００ｍＰａ・ｓ以下であり、５／ｓでは３００ｍＰａ・ｓ以上であることが好適である。
また、インキ収容管１２内のインキ３０の後部には、インキ３０の溶剤分の揮発を防止する目的でグリース状のフォロア３２が充填されている。なお、インキ収容管１２の内径の大きい場合は、フォロア３２の中に樹脂（ポリプロピレンＰＰなど）製のフロートを充填することが望ましい。
また、インキ収容管１４に少なくとも酸化チタン、高分子中空微粒子などの白色顔料とゲル化剤を含む白色顔料インキが充填されてなる。
【００１７】
また、加圧機構２２の筒部２６は、周面に凹凸部が形成されたカーン式のノック機構２０の回転子として兼用されている。詳しくは、軸本体１８の後端部が開放し、その開放部を被うように外側面部にクリップ３６ａが形成された概略砲弾形状のノックカバー３６が前後摺動可能に外嵌している。このノックカバー３６の天頂部（軸本体１８後端方向部）には、外側からキノコ形状の飾り３６ｂが嵌着され、内側から筒状のノック棒３８基端部分３８ａが嵌着固定される。一方、このノック棒３８の先端部３８ｂは軸本体１８の後端部開放に嵌入しており、先端部３８ｂ外周部には軸放射方向外側に係合突起３８ｃが突出形成されており、軸本体１８後端部内側の係合段部１８ｂに係合して、軸本体１８からノックカバー３６の抜け止めをしている。
【００１８】
また、前記ノック棒３８の先端部３８ｂには、周方向にカム部が形成されており、このギヤ状山谷部が筒部２６外周のカム部に係合して、カバーひいてはノック棒の進退動によって、筒部２６がノック機構２０の回転体として前進・停止・後退するようになっている。また、筒部２６は後端部の閉鎖された概略筒形状を呈し、筒部２６内周面部に中空異形筒状のシール部２４が摺接して、筒部２６内底部２６ａとこのシール部２４の後部内段部との間の加圧室４０内には、前記第２のスプリング２８が介装されてシール部２４を先方に向けて付勢している。また、筒部２６の内周面は先方が大径でやや入った箇所がそれよりも小径になっており、ノック時にリフィールユニット１４が前進をしているときには、この大径箇所に対応し、リフィールユニット１４が先軸１８Ａに突き当たって前進を停止したときにはシール部２４が筒部２６に対して相対的に進んで小径個所に摺接し加圧室４０内を密閉し内部空気を加圧する。
すなわち、このシール部２４は、前記筒部２６内周に摺接する部分にＯリング４２がはめ込まれ、リフィールユニット１４のインキ収容管１２後端との間にゴムリング４４が嵌入されてそれぞれ当接部同士の気密を保つようにしている。そして、シール部２４の先端部開口内には、概略キノコ形状を呈した逆止弁４６が挿着されていて、この逆止弁４６により後方の加圧室４０からインキ収容室１２後部の空間部（リフィール空間部）４８への加圧空気の流れを許容し、その逆の流れを阻止するようになっている。ただ、ノック解除時には、シール部２４のインキ収容管１２後端への押し付けが緩まり、ゴムリング４４の気密が緩まって、リフィール空間部４８が筒部２６外側を介して大気に開放されるようになっている。
【００１９】
また、軸本体１８を先後（先軸１８Ａ・後軸１８Ｂ）に２分割可能に形成したものであって軸本体１４先方の先軸に後軸が螺合されている。また、リフィールユニット１４の先端部のボールペンチップ１０は、前部で該チップ１０を抱持しかつ後部がインキ収容管１２前部に貫入する継手５０でインキ収容管１２の先端部に保持されている。
【００２０】
前記構成の筆記具においての、図１〜図８によりノック時の動作を説明する。
［非筆記時］
非筆記時には、図１、図５に示すように、筒部（回転子）２６内にある加圧室４０とリフィール空間４８が大気と通じて開放されており、非加圧状態にある。
【００２１】
［筆記時］
そして、筆記ためにノックカバー３６を押して繰り出しノックを行なうと、図１、図５に示す状態から図２、図６に示す状態に作動する。まず、第１のスプリング１６が圧縮されて、ノックカバー３６、ノック棒３８、筒部２６、シール部２４さらには、リフィールユニット１４が前進する。
その際にリフィールユニット１４（インキ収容管１２）後端部とシール部２４前端のゴムリング４４が密着してリフィールユニット１４後端部がシールされる。このときには、シール部２４外周のＯリング４２は筒部２６の内周面に当らず加圧室４０は大気と連通している。
【００２２】
さらに、リフィールユニット１４が前進すると継手５０の外側面に形成されたリブ５０ａが先軸１８Ａの先端開口部１８ａの内側に当って、リフィールユニット１４の前進が止まる。
その後、ノックカバー３６のノック操作により、図６に示すように、ノック棒３８と、加圧室４０を持つ回転子である筒部２６のみが前進し、該筒部２６内部にあるシール部２４のＯリング４２が筒部２６の内周面に接触することで、筒部２６内が密閉状態となる。
さらに、ノック動作に伴い筒部２６が前進すると、筒部２６内の空気が圧縮されて、圧縮空気は逆止弁４６を通ってリフィール空間に入り、これにより、圧縮された空気によりリフィール空間部４８も加圧される。所定の位置までノックされるとノック機構２０のカムにより係止され、リフィールユニット１４の後退が規制される。
【００２３】
［追加圧時］
インキの消費により、リフィール空間部４８が増加し、前記したノック動作による加圧だけでは、十分な加圧力が得られず、結果として十分なインキ流量が得られない場合は、図３、図７に示すように、ペン先を筆記面に押し付けることで、リフィールユニット１４のインキ収容管後端１２ｒがゴムリング４４、シール部２４を筒部２６内にさらに押し込む。押し込み量は、シール部２４が筒部２６内部の段差に突き当たってことでそれ以上の押し込みは規制される。その際に、筒部２６内の加圧室４０内の空気が圧縮され、圧縮された空気が逆止弁４６とシール部２４の隙間を通ってリフィール空間部４８も加圧される。この場合に、通常時にペン先部がふわふわしないように、第２のスプリング２８の反発力を筆記圧よりも十分高めに設定しておくことが望ましい。そのため、スプリングの反発力を筆記時には、５Ｎに設定する。
【００２４】
［追加圧筆記時］
前記の追加圧動作後に、ペン先を筆記面から離すと、第２のスプリング２８の弾発力によりリフィールユニット１４を押し戻し、図４、図８に示すように、筆記時の位置まで戻る。その際に、筒部（回転子）２６内加圧室４０内の体積は、前記の追加圧のときよりも大きくなり、前記筆記時の状態に戻る。それに伴いリフィールユニット１４のリフィール空間部４８の圧縮空気も筒部２６内に戻ろうとするが、リフィール空間部４８の圧力が筒部内加圧室４０内の圧力よりも高いため、シール部２４に自在に動くように設置された逆止弁４６がリフィール空間部４８の圧力により、シール部２４のゴムリング４４に密着することでシールされ、リフィール空間部４８内の圧力を保つことができる。
【００２５】
［解除時］
筆記後にノックカバー３６を押してノック動作をすることで、図１、図５の非筆記状態に復帰する。
【００２６】
なお、前記実施形態では、キャップのないノック式のボールペンを本発明の位置実施形態としてあげた。筆記しようとするときにキャップをはずす煩わしさを無くしていたが、もちろん本発明の筆記具にはキャップのあるものでも好適に実施できる。
また、前記実施形態では、本発明の好適例としてリフィールに筆記部としてボールペンとして筆記具を説明したが、ボールペン以外の筆記部を有する筆記具にも、本発明を実施可能である。
【００２７】
【発明の効果】
本発明によれば、上記のように構成したので下記の効果を奏することができる。
本発明によれば、筆記具の使用時にインキの流量が必要なときには軸本体より突出した筆記部先端を塗布面に押し付けることで、リフィールを加圧機構の中にさらに押し込ませてより大きな加圧力をインキ収容室内に加圧することができる。このように使用時のみ加圧できるので、非使用時のインキ漏れを防止できる。また、加圧は必要時に行なうため、ガスバリアー性のある高価な材料を使用する必要がない。さらにノックしたまま放置しても加圧された空気は徐々にリークするためインキの漏れの心配はない。また、顔料の沈降をなくした所定のインキなどの使用を可能にするのでインキを攪拌したりキャップを外したりする煩わしさが無くなる。
【００２８】
また、ノックによる動作と連動して同時に加圧することができるので使用者は加圧を意識すること無く使用でき、操作感に優れる。
また、インキの消費により、リフィール内の加圧が十分でなかった場合には、筆記部先端を紙面に押し付けるという自然な行為（持ち替えたりする必要がない）で追加圧を印加できるので操作性が良く、最後まで快適に使用できる。
また、リフィール自体には、特に加圧のための部品は必要ないことがリフィールのコストを低く押さえることができ、リフィール交換によるランニングコストを低減できる。
また、ノックを多段式にするのではなく、１回目の繰り出しノック時、２回目は先端部の押し込み動作と圧力を上げる操作方法を分けるため、ノック機構が簡単になり機構部寸法を短くすることができ、使い勝手もよく軸本体全長を短くすることができる。
【００２９】
また、ノックを解除することで、筒部の加圧室は大気と通気するため、ノック動作を繰り返しても連続加圧されることはない。また、ペン先部を押し込むことによる加圧も加圧室内が閉空間であるため、何度押し込んでも一定圧までしか加圧されない。そのため、使用者が使用しないにもかかわらずノックを繰り返してもリフィールの内圧が高くなることがないため、インキの噴出し事故などの発生や、紙面へのインキの出すぎといった不具合が生じない。
【図面の簡単な説明】
【図１】本発明の実施形態にかかる筆記具の作動（非筆記時）の説明図である。
【図２】図１の筆記具の作動（筆記時）の説明図である。
【図３】図１の筆記具の作動（追加圧時）の説明図である。
【図４】図１の筆記具の作動（非追加圧時）の説明図である。
【図５】図１の筆記具の部分詳細作動（非筆記時）である。
【図６】図２の状態の筆記具の部分詳細作動（筆記時）である。
【図７】図３の状態の筆記具の部分詳細作動（加圧時）である。
【図８】図４の筆記具の部分詳細作動（非筆記時）である。
【符号の説明】
１０　ボールペンチップ
１２　インキ収容管
１４　リフィールユニット
１６　第１のスプリング
１８　軸本体
１８Ａ　先軸
１８Ｂ　後軸
２０　ノック機構
２２　加圧機構
２４　シール部
２６　筒部
２８　第２のスプリング
３０　インキ
３２　フォロア
３４　スプリング
３６　ノックカバー
３８　ノック棒
４０　加圧室
４２　Ｏリング
４４　ゴムリング
４６　逆止弁
４８　リフィール空間部
【図１】
2004009645.tif 000003
【図２】
2004009645.tif 000004
【図３】
2004009645.tif 000005
【図４】
2004009645.tif 000006
【図５】
2004009645.tif 000007
【図６】
2004009645.tif 000008
【図７】
2004009645.tif 000009
【図８】
2004009645.tif 000010